【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
試料および／または１つもしくは２つ以上の試薬を収容する、１つまたは２つ以上の流体容器（５）の自動の開放／閉鎖のための装置（１）であって、前記流体容器（５）のそれぞれが、容器開口部（１０）および該容器開口部（１０）を閉鎖するためのキャップ（９）を含む容器本体（６）を備え、前記キャップ（９）は、前記容器開口部（１０）を開放または閉鎖するために、前記容器本体（６）に対して枢動可能であり、
前記装置（１）が、
マウント（２）と、
前記マウント（２）に対してキャリッジ（３）を双方向に移動させるように構成される移動機構（７、８）を用いて、前記マウント（２）により支持されるキャリッジ（３）であって、前記キャリッジ（３）が、基部（１４）と、該基部（１４）に対して枢動部（１５）を双方向に枢動させるように構成される枢動機構（１６）により、前記基部（１４）により支持される枢動部（１５）とを含み、該枢動部（１５）が、前記容器開口部（１０）を開放するために、前記枢動部（１５）を枢動させる間、前記１つまたは２つ以上の流体容器（５）それぞれの前記キャップ（９）の少なくとも１つの突出部（１３）に接触するように構成される少なくとも１つのコンタクト部材（４４、４４’、４５、４５’）を備えるキャリッジ（３）と、
前記基部（１４）を移動させ、前記枢動部（１５）を枢動させるために、前記キャリッジ（３）に連結される駆動部（３１）とを含む装置（１）。
【請求項２】
前記枢動部（１５）が、前記１つまたは２つ以上の流体容器（５）それぞれの前記容器開口部（１０）を閉鎖する１つの枢動方向において、前記基部（１４）に対して前記枢動部（１５）にプレテンションをかけるプレテンション部材（５３）に連結された請求項１記載の装置（１）。
【請求項３】
前記キャリッジ（３）が、前記１つまたは２つ以上の流体容器（５）に向かう前記キャリッジ（３）の移動を停止するために、前記マウント（２）に対して固定される第２停止部材（４９）に当接するよう構成される第１停止部材（４８）を含む請求項１または２記載の装置（１）。
【請求項４】
前記駆動部（３１）が、前記枢動部（１５）に連結される線形駆動部である請求項１〜３のいずれか１項に記載の装置（１）。
【請求項５】
前記枢動部（１５）を前記基部（１４）に対して枢動させる間、静止した移動位置で前記基部（１４）を保持するように構成されている制御可能な保持部材（５０）を含む請求項１〜４のいずれか１項に記載の装置（１）。
【請求項６】
前記少なくとも１つのコンタクト部材（４４、４４’）が、１つまたは２つ以上の凹部（４６）を備え、前記凹部（４６）のそれぞれが、前記キャップ（９）を枢動させて前記容器開口部（１０）を開放するために、前記流体容器（５）の１つの前記キャップ（９）の前記突出部（１３）を収容するように構成された請求項１〜５のいずれか１項に記載の装置（１）。
【請求項７】
前記キャップ（９）を枢動させて前記容器開口部（１０）を開放するために、前記１つまたは２つ以上の流体容器（５）それぞれの前記キャップ（９）の前記少なくとも１つの突出部（１３）に接触するように構成される少なくとも１つの第１コンタクト部材（４４、４４’）と、
前記キャップ（９）を枢動させて前記容器開口部（１０）を閉鎖するために、前記１つまたは２つ以上の流体容器（５）それぞれの前記キャップ（９）の前記少なくとも１つの突出部（１３）に接触するように構成される少なくとも１つの第２コンタクト部材（４５、４５’）とを含む請求項１〜６のいずれか１項に記載の装置（１）。
【請求項８】
前記枢動部（１５）が、１つまたは２つ以上の貫通孔（５９）を備え、前記貫通孔（５９）のそれぞれが、前記１つまたは２つ以上の流体容器（５）それぞれの前記容器開口部（１０）へのアクセスを提供するような方法で配置された請求項１〜７のいずれか１項に記載の装置（１）。
【請求項９】
前記基部（１４）が、前記容器開口部（１０）を開放または閉鎖するために、前記キャップ（９）を枢動させる間、前記１つまたは２つ以上の流体容器（５）それぞれの前記容器本体に接触するように構成される少なくとも１つの押さえ部材（６３）を含む請求項１〜８のいずれか１項に記載の装置（１）。
【請求項１０】
試料および／または１つもしくは２つ以上の試薬を収容する、１つまたは２つ以上の流体容器（５）の開放／閉鎖を伴う、試料を分析するためのシステムであって、前記流体容器（５）のそれぞれが、容器開口部（１０）および該容器開口部（１０）を閉鎖するためのキャップ（９）を含む容器本体（６）を備え、前記キャップ（９）は、前記容器開口部（１０）を開放または閉鎖するために前記容器本体（６）に対して枢動可能であり、
前記システムが、
前記１つまたは２つ以上の流体容器（５）の自動の開放／閉鎖のための装置（１）と、
前記１つまたは２つ以上の流体容器のキャップが開放されている間、前記１つまたは２つ以上の流体容器に含まれている流体を操作するための少なくとも１つのマニピュレータと
を含み、前記装置（１）は、
マウント（２）と、
前記マウント（２）に対してキャリッジ（３）を双方向に移動させるように構成される移動機構（７、８）を用いて、前記マウント（２）により支持されるキャリッジ（３）であって、基部（１４）と、該基部（１４）に対して枢動部（１５）を双方向に枢動させるように構成される枢動機構（１６）を用いて、前記基部（１４）により支持される枢動部（１５）とを含み、該枢動部（１５）が、前記容器開口部（１０）を開放するために、前記１つまたは２つ以上の流体容器（５）それぞれの前記キャップ（９）の少なくとも１つの突出部（１３）に接触するように構成される少なくとも１つのコンタクト部材（４４、４４’、４５、４５’）を備えるキャリッジ（３）と、
前記基部（１４）を移動させ、前記枢動部（１５）を枢動させるために、前記キャリッジ（３）に連結される駆動部（３１）とを含むシステム。
【請求項１１】
試料および／または１つもしくは２つ以上の試薬を収容する、１つまたは２つ以上の流体容器（５）の自動の開放／閉鎖のための方法であって、前記流体容器（５）のそれぞれが、容器開口部（１０）および該容器開口部（１０）を閉鎖するためのキャップ（９）を含む容器本体（６）を備え、前記キャップ（９）は、前記容器開口部（１０）を開放または閉鎖するために前記容器本体（６）に対して枢動可能であり、
前記方法が、
基部（１４）および該基部（１４）によって前記１つまたは２つ以上の流体容器（５）に対して支持される枢動部（１５）を含むキャリッジ（３）を移動させる工程と、
前記キャップ（９）を枢動させて前記容器開口部（１０）を開放するために、前記枢動部（１５）の少なくとも１つのコンタクト部材（４４、４４’、４５、４５’）が、前記１つまたは２つ以上の流体容器（５）それぞれの前記キャップ（９）の少なくとも１つの突出部（１３）に接触するように、前記基部（１４）に対して前記枢動部（１５）を枢動させる工程とを含み、
前記キャリッジ（３）を移動させる工程は、前記基部（１４）を前記１つまたは２つ以上の流体容器（５）に対して移動させる工程を含み、
前記枢動部（１５）を枢動させる工程は、前記枢動部（１５）を前記基部（１４）に対して枢動させる間、前記基部（１４）を静止位置で保持する工程を含む方法。
【請求項１２】
前記１つまたは２つ以上の流体容器（５）それぞれの前記容器開口部（１０）を開放するために前記枢動部（１５）を枢動させる工程が、少なくとも１つの第１コンタクト部材（４４、４４’）を前記少なくとも１つの突出部（１３）に接触させる工程を含み、前記１つまたは２つ以上の流体容器（５）それぞれの前記容器開口部（１０）を閉鎖するために前記枢動部（１５）を枢動させる工程が、少なくとも１つの第２コンタクト部材（４５、４５’）を前記少なくとも１つの突出部（１３）に接触させる工程を含む請求項１１記載の方法。
【請求項１３】
前記１つまたは２つ以上の流体容器（５）それぞれの前記キャップ（９）を枢動させて前記容器開口部（１０）を閉鎖するために前記枢動部（１５）を枢動させる工程が、第１キャップ閉鎖位置よりも弱い方法で前記容器本体（６）に前記キャップ（９）を固定するように構成される第２キャップ閉鎖位置に前記キャップ（９）を配置する工程を含む請求項１１または１２記載の方法。
【請求項１４】
前記１つまたは２つ以上の流体容器（５）それぞれの前記キャップ（９）を枢動させて前記容器開口部（１０）を閉鎖するために前記枢動部（１５）を枢動させる工程が、少なくとも１つの第２コンタクト部材（４５、４５’）が、前記１つまたは２つ以上の流体容器（５）それぞれの前記キャップ（９）の前記少なくとも１つの突出部（１３）に接触するように、前記キャップ（９）を前記第１キャップ閉鎖位置に配置する工程を含む請求項１３記載の方法。
【請求項１５】
前記流体容器（５）を開放する工程と、前記流体容器（５）を閉鎖する工程との間に、前記１つまたは２つ以上の流体容器に含まれる流体をピペットで取る工程を含む請求項１１〜１４のいずれか１項に記載の方法。
【手続補正２】
【補正対象書類名】図面
【補正対象項目名】図１
【補正方法】変更
【補正の内容】
【図１】
2012247421.tif 000001